(57)【要約】【課題】確実にオスコネクタ接続部を清拭し、消毒することができる消毒キャップを提供する。【解決手段】消毒キャップ１は、第１部材４と、第２部材５と、清拭部材３と、を備えている。第１部材４は、オスコネクタ接続部１０４を保持する。第２部材５は、第１部材４に接近及び離反可能に連結されて、第１部材４と共にオスコネクタ接続部１０４を挟持する。清拭部材３は、第２部材５に設けられ、消毒液が含浸される含浸部１２を有する。含浸部１２は、天面部１０４ｂの一端部の外側から、天面部１０４ｂを通過し、一端部と反対側の他端部の外側まで移動する清拭体１４を有する。【選択図】図３
2016168251.tif 000002
【特許請求の範囲】
【請求項１】
コネクタにおけるオスコネクタ接続部の側面部を保持する第１部材と、
前記第１部材に接近及び離反可能に連結されて、前記第１部材と共に前記オスコネクタ接続部を側面部から挟持する第２部材と、
前記第２部材に設けられ、消毒液が含浸される含浸部を有する清拭部材と、を備え、
前記含浸部は、前記第２部材が前記第１部材に接近した際に、前記オスコネクタ接続部における前記側面部と直交する天面部の一端部の外側から、前記天面部を通過し、前記天面部の軸心を間に挟んで前記一端部と反対側の他端部の外側まで移動する清拭体を有する
消毒キャップ。
【請求項２】
前記清拭部材は、前記含浸部を前記第１部材に保持された前記オスコネクタ接続部の前記天面部に向けて付勢する付勢部材を有する
請求項１に記載の消毒キャップ。
【請求項３】
前記含浸部は、
前記第１部材と前記第２部材が前記オスコネクタ接続部を挟持した際に、前記天面部を覆う保護体を有する
請求項１又は２に記載の消毒キャップ。
【請求項４】
前記第１部材は、前記第２部材と連結する連結片を有し、
前記第２部材は、前記連結片が挿入される連結溝を有する
請求項１〜３のいずれかに記載の消毒キャップ。
【請求項５】
前記第１部材及び前記第２部材を回動可能に支持し、かつ前記第１部材及び前記第２部材を連結する回動軸を有する
請求項１〜３のいずれかに記載の消毒キャップ。
【発明の詳細な説明】
【技術分野】
【０００１】
本発明は、コネクタにおけるオスコネクタが接続されるオスコネクタ接続部に取り付けられる消毒キャップに関する。
【背景技術】
【０００２】
従来から、輸液、輸血、人工透析などを行う場合は、医療用のチューブを用いて液体を体内へ送る。そして、チューブ内の液体に薬液などの別の液体を合流させる場合には、シリンジやルアーテーパ部材等のオスコネクタと医療用のチューブとを液密に接続可能なコネクタが用いられる。なお、シリンジやルアーテーパ部材等のオスコネクタをオスルアーと呼称し、このオスルアーに接続されるコネクタをメスルアーと呼称することがある。
【０００３】
コネクタを使用する際には、使用者がアルコール等を含んだ脱脂綿を指で摘み、オスコネクタが接続されるオスコネクタ接続部を拭いていた。しかしながら、使用者の清拭作業の巧拙により、消毒が不十分となるおそれがあった。
【０００４】
また、近年では、清拭作業に用いる消毒キャップが知られている。例えば、特許文献１に記載された技術には、コネクタに螺合されるキャップ本体と、キャップ本体の裏面に設けられ、消毒液が含浸されたパッドと、を備えた医療用キャップが記載されている。この特許文献１に記載された医療用キャップは、キャップ本体をオスコネクタ接続部に螺合することで、オスコネクタ接続部の天面部を消毒液が含浸されたパッドで清拭し、オスコネクタ接続部を保護している。
【先行技術文献】
【特許文献】
【０００５】
【特許文献１】特表２０１０−５１６３４２号公報
【発明の概要】
【発明が解決しようとする課題】
【０００６】
しかしながら、特許文献１に記載された技術では、パッドはオスコネクタ接続部の軸心を中心に回転することで、オスコネクタ接続部の天面部を清拭しているため、パッドは天面部内の同じ箇所を移動している。そのため、特許文献１に記載された技術では、パッドで拭き取ったオスコネクタ接続部の汚れや細菌が、オスコネクタ接続部に再び付着するおそれがあるだけでなく、オスコネクタ接続部の汚れや細菌をパッドで塗り広げてしまうおそれがあった。
【０００７】
本発明の目的は、上記の問題点を考慮し、確実にオスコネクタ接続部を清拭し、消毒することができる消毒キャップを提供することにある。
【課題を解決するための手段】
【０００８】
上記課題を解決し、本発明の目的を達成するため、本発明の消毒キャップは、第１部材と、第２部材と、清拭部材と、を備えている。第１部材は、コネクタにおけるオスコネクタ接続部の側面部を保持する。第２部材は、第１部材に接近及び離反可能に連結されて、第１部材と共にオスコネクタ接続部を側面部から挟持する。清拭部材は、第２部材に設けられ、消毒液が含浸される含浸部を有する。含浸部は、第２部材が第１部材に接近した際に、オスコネクタ接続部における側面部と直交する天面部の一端部の外側から、天面部を通過し、天面部の軸心を間に挟んで一端部と反対側の他端部の外側まで移動する清拭体を有する。
【発明の効果】
【０００９】
本発明の消毒キャップによれば、確実にオスコネクタ接続部を清拭し、消毒することができる。
【図面の簡単な説明】
【００１０】
【図１】本発明の第１の実施の形態例にかかる消毒キャップを示す斜視図である。
【図２】本発明の第１の実施の形態例にかかる消毒キャップをコネクタに取り付けた状態示す斜視図である。
【図３】本発明の第１の実施の形態例にかかる消毒キャップを示す断面図である。
【図４】本発明の第１の実施の形態例にかかる消毒キャップをコネクタに取り付けた状態を示す断面図である
【図５】本発明の第１の実施の形態例にかかる消毒キャップの変形例を示す断面図である。
【図６】本発明の第２の実施の形態例にかかる消毒キャップを示す斜視図である。
【図７】本発明の第３の実施の形態例にかかる消毒キャップをコネクタに取り付けた状態を示す断面図である。
【発明を実施するための形態】
【００１１】
以下、本発明の消毒キャップの実施の形態例について、図１〜図７を参照して説明する。なお、各図において共通の部材には、同一の符号を付している。また、本発明は、以下の形態に限定されるものではない。
【００１２】
＜１．第１の実施の形態例＞
１−１．消毒キャップの構成例
まず、図１〜図４を参照して本発明の第１の実施の形態例（以下、「本例」という。）にかかる消毒キャップの構成例について説明する。
図１及び２は、本例の消毒キャップを示す斜視図、図３及び図４は、本例の消毒キャップを示す断面図である。
【００１３】
図１に示すように、本例の消毒キャップ１は、コネクタ１００に取り付けられ、コネクタ１００のオスコネクタ接続部１０４を清拭するために用いられる。
【００１４】
［コネクタ］
コネクタ１００は、コネクタ本体１０１と、コネクタ本体１０１に設けられた弁体１０２とを有している。コネクタ本体１０１には、２つのチューブ接続口１０３，１０３と、オスコネクタ接続部１０４が設けられている。オスコネクタ接続部１０４は、略円筒状に形成されている。
【００１５】
図３に示すように、オスコネクタ接続部１０４の内部空間は、コネクタ本体の内部空間に設けられた流路１０５に連通している。オスコネクタ接続部１０４の筒孔１０４ａには、弁体１０２が固定されている。弁体１０２は、オスコネクタ接続部１０４の筒孔１０４ａにおける天面部１０４ｂ側の開口を閉塞している。
【００１６】
また、オスコネクタ接続部１０４の外周面には、ねじ部１０４ｃが設けられている。このねじ部１０４ｃには、例えば、オスコネクタの周囲に所定の距離をあけて設けられる不図示のロック部が螺合し、後述する消毒キャップ１が係合する。
【００１７】
なお、消毒キャップ１が取り付けられるコネクタとしては、図１に示すＴ型ポートに限定されるものではなく、３つの接続部と流路切換部とを有する三方活栓や、２つの接続部を有する混注プラグ等その他各種のコネクタを用いることができる。
【００１８】
［消毒キャップ］
図１及び図３に示すように、消毒キャップ１は、キャップ本体２と、清拭部材３とを有している。キャップ本体２は、第１部材４と、第２部材５を有している。第１部材４と第２部材５は、互いに接近及び離反可能に連結されている。
【００１９】
第１部材４は、一対の連結片６，６と、第１保持部７とを有している。一対の連結片６，６と、第１保持部７は、支持板４ａに設けられている。支持板４ａは、平板状に形成されている。
【００２０】
一対の連結片６，６は、支持板４ａにおける上下方向と直交する方向の両端部に形成されている。そして、２つの連結片６，６は、支持板４ａから第２部材５に向けて突出している。また、２つの連結片６，６における互いに対向する一面と反対側の面には、係合溝６ａが形成されている。
【００２１】
第１保持部７は、支持板４ａにおける上下方向の下部において、一対の連結片６，６の間に配置されている。第１保持部７における第２部材５と対向する一面には、第１挟持凹部７ａが形成されている。第１挟持凹部７ａは、第１保持部７の一面から支持板４ａに向けて略半円状に凹んだ凹部である。また、第１挟持凹部７ａには、オスコネクタ接続部１０４のねじ部１０４ｃと係合する係合溝が形成されている。
【００２２】
第２部材５は、第２保持部８と、蓋板９と、一対の連結片１０，１０とを有している。第２保持部８と、蓋板９と、一対の連結片１０，１０は、支持板５ａに設けられている。支持板５ａは、平板状に形成されている。
【００２３】
一対の連結片１０，１０は、支持板５ａにおける上下方向と直交する方向の両端部に形成されている。そして、２つの連結片１０，１０は、支持板５ａから第１部材４に向けて突出している。また、２つの連結片１０，１０における互いに対向する一面には、係合突起１０ｂが形成されている。係合突起１０ｂは、第１部材４に設けた一対の連結片６，６の係合溝６ａに摺動可能に係合される。
【００２４】
一対の連結片１０，１０の間で、かつ支持板５ａの上下方向の下部には、第２保持部８が設けられている。第２保持部８における第１部材４と対向する一面には、第２挟持凹部８ａが形成されている。第２挟持凹部８ａは、第２保持部８の一面から支持板５ａに向けて略半円状に凹んだ凹部である。また、第２挟持凹部８ａには、オスコネクタ接続部１０４のねじ部１０４ｃと係合する係合溝が形成されている。
【００２５】
図２及び図４に示すように、第１部材４と第２部材５が接近すると、第１挟持凹部７ａと第２挟持凹部８ａが互いに対向する。そして、第１挟持凹部７ａと第２挟持凹部８ａにより、オスコネクタ接続部１０４が挟持される。
【００２６】
また、図１及び図３に示すように、支持板５ａの上下方向の上端部において、一対の連結片１０，１０の間には、蓋板９が設けられている。そして、蓋板９と一対の連結片１０，１０の間には、連結溝１０ａ，１０ａが形成されている。連結溝１０ａには、第１部材４の連結片６が挿入される。
【００２７】
蓋板９は、略平板状に形成されている。蓋板９は、支持板５ａから第１部材４に向けて突出し、第２保持部８に設けた第２挟持凹部８ａの開口と対向する。また、図２及び図４に示すように、第１部材４と第２部材５が接近した際、蓋板９は、第１挟持凹部７ａ及び第２挟持凹部８ａで形成された開口と対向する。また、蓋板９における第２保持部８側の一面、すなわち、第１部材４と第２部材５が接近した際に第１挟持凹部７ａ及び第２挟持凹部８ａで形成された開口と対向する一面には、清拭部材３が固定されている。
【００２８】
清拭部材３は、含浸部１２と、付勢部材１３と、付勢板１６と、を有している。付勢板１６は、蓋板９と対向して配置されている。また、付勢板１６における蓋板９と対向する一面と反対側の一面には、含浸部１２が固定されている。
【００２９】
含浸部１２は、清拭体１４と、保護体１５とを有している。清拭体１４及び保護体１５としては、例えば、スポンジや不織布等によって構成される。そして、清拭体１４及び保護体１５には、消毒液が含浸される。保護体１５は、清拭部材３における支持板５ａ側に配置され、清拭体１４は、清拭部材３における第１部材４側に配置されている。
【００３０】
なお、本例では、含浸部１２を、清拭体１４と保護体１５に分けた例を説明したが、これに限定されるものではなく、例えば、一つのスポンジや不織布等で含浸部を形成し、清拭体１４と保護体１５とを分けずに構成してもよい。
【００３１】
また、蓋板９と付勢板１６の間には、付勢部材１３が介在されている。付勢部材１３は、付勢部材１３としては、例えば、コイルばね、板ばねやゴム等のその他各種の弾性を有する部材が用いられる。なお、本例では、付勢部材１３としてコイルばねを用いている。
【００３２】
付勢部材１３は、蓋板９と付勢板１６の間に圧縮された状態で介在されている。そのため、付勢部材１３は、付勢板１６を介して含浸部１２を第２部材５の下方に向けて付勢している。
【００３３】
１−２．消毒キャップの動作
次に、上述した構成を有する消毒キャップ１の清拭動作について図１〜図４を参照して説明する。
【００３４】
図１及び図３に示すように、予め第１部材４と第２部材５を、コネクタ１００におけるオスコネクタ接続部１０４の直径よりも大きき離反させておく。まず、第１部材４における第１保持部７の第１挟持凹部７ａにコネクタ１００におけるオスコネクタ接続部１０４の側面部を当接させる。第１挟持凹部７ａに設けた係合溝がオスコネクタ接続部１０４のねじ部１０４ｃと係合される。これにより、オスコネクタ接続部１０４の側面部は、第１部材４に保持される。そして、オスコネクタ接続部１０４の天面部１０４ｂは、第１挟持凹部７ａにおける上下方向の上側の開口部から露出する。
【００３５】
このとき、第２部材５に設けた清拭部材３は、オスコネクタ接続部１０４の天面部１０４ｂの端部よりも半径方向の外側に配置される。
【００３６】
次に、図２及び図４に示すように、第２部材５を第１部材４に接近させる。これにより、第１部材４の一対の連結片６，６が第２部材５に設けた一対の連結溝１０ａ内に挿入される。ここで、第２部材５に設けた連結片１０の係合突起１０ｂは、第１部材４に設けた連結片６の係合溝６ａに摺動可能に係合されている。第１部材４と第２部材５がガタつくことなく、接近及び離反動作させることができる。
【００３７】
また、第２部材５が第１部材４に向けて移動することで、第２部材５に設けた清拭部材３も第１部材４の支持板４ａに向けて直線移動する。これにより、清拭部材３に設けた含浸部１２の清拭体１４がオスコネクタ接続部１０４の天面部１０４ｂに接触し、天面部１０４ｂに付着した細菌や汚れを清拭体１４で拭き取ることができる。
【００３８】
また、含浸部１２は、付勢部材１３によって上下方向の下方、すなわち、オスコネクタ接続部１０４の天面部１０４ｂに向けて付勢されている。そのため、含浸部１２の清拭体１４をオスコネクタ接続部１０４の天面部１０４ｂに押し付けることができ、天面部１０４ｂに付着した細菌や汚れを確実に拭き取ることができる。
【００３９】
次に、第１保持部７の対向面と第２保持部８の対向面が接触するまで、第２部材５を第１部材４に向けて移動させる。そして、オスコネクタ接続部１０４は、第１挟持凹部７ａと第２挟持凹部８ａに挟持される。これにより、キャップ本体２をコネクタ１００に取り付けることができる。
【００４０】
このとき、含浸部１２における清拭体１４は、第１挟持凹部７ａの縁部を越えて第１部材４の第１保持部７の上部まで移動し、第１部材４の支持板４ａに当接する。したがって、清拭体１４が、天面部１０４ｂの一端部の外側から、天面部１０４ｂを通過し、天面部１０４ｂの軸心を挟んで一端部の反対側の他端部を越える位置まで一方向に移動する。そのため、清拭体１４によって天面部１０４ｂの全面を清拭することができる。さらに、清拭体１４が一方向に移動することで、清拭体１４が拭き取った細菌や汚れが再び天面部１０４ｂに付着することを防ぐことができる。その結果、消毒キャップ１によるオスコネクタ接続部１０４に対する清拭効果を高めることができる。
【００４１】
また、第１部材４と第２部材５が接近し、消毒キャップ１がコネクタ１００に取り付けられると、第１挟持凹部７ａ及び第２挟持凹部８ａで形成された開口部及び、オスコネクタ接続部１０４の天面部１０４ｂは、含浸部１２の保護体１５によって覆われる。この保護体１５は、オスコネクタ接続部１０４の天面部１０４ｂに細菌や汚れが付着することを保護する。
【００４２】
また、清拭を行った清拭体１４とは異なる部材である保護体１５で天面部１０４ｂを覆うことで、清拭時に拭き取った細菌や汚れが再び天面部１０４ｂに付着することを確実に防ぐことができる。
【００４３】
さらに、本例の消毒キャップ１によれば、キャップ本体２をオスコネクタ接続部１０４に取り付ける際に、同時に清拭部材３によってオスコネクタ接続部１０４の天面部１０４ｂにたいする清拭作業を行うことができる。これにより、清拭作業にかかる時間の短縮を図ることができる。また、使用者の清拭作業の巧拙に関係なく、オスコネクタ接続部１０４の清拭作業を行うことができ、清拭作業の安定化を図ることができる。
【００４４】
また、本例の消毒キャップ１によれば、清拭体１４と保護体１５を隣接して設け、清拭体１４で天面部１０４ｂを一回清拭する例を説明したが、これに限定されるものではない。例えば、清拭体１４と保護体１５との間に隙間を設け、一度清拭体１４で天面部１０４ｂを清拭した後に、第２部材５を第１部材から離反させる。そして、再び第２部材５を第１部材に接近させることで、清拭体１４で天面部１０４ｂを２回清拭してもよい。
【００４５】
１−３．変形例
次に、図５を参照して第１の実施の形態例にかかる消毒キャップの変形例について説明する。
図５は、消毒キャップの変形例を示す断面図である。
【００４６】
図５に示す消毒キャップ１Ａの変形例が本例の消毒キャップ１と異なる点は、清拭部材の構成である。そのため、ここでは、清拭部材について説明し、本例の消毒キャップ１と共通する部分には、同一の符号を付して重複した説明を省略する。
【００４７】
図５に示すように、消毒キャップ１Ａは、清拭部材３Ａを有している。清拭部材３Ａは、含浸部１２Ａと、付勢部材１３Ａと、付勢板１６Ａとを有している。含浸部１２Ａは、第１清拭体１４ａＡと、第２清拭体１４ｂＡと、保護体１５Ａとを有している。
【００４８】
保護体１５Ａは、清拭部材３Ａにおける支持板５ａ側に配置され、第１清拭体１４ａＡは、清拭部材３における第１部材４側に配置されている。第２清拭体１４ｂＡは、保護体１５Ａと第１清拭体１４ａＡの間に配置されている。
【００４９】
この清拭部材３Ａを有する消毒キャップ１Ａによれば、オスコネクタ接続部１０４の天面部１０４ｂを清拭する際に、第２部材５を第１部材４に接近させると、まず第１清拭体１４ａＡで天面部１０４ｂを清拭する。さらに、第２部材５を第１部材４に接近さえると、第２清拭体１４ｂＡで天面部１０４ｂを清拭することができる。したがって、第１清拭体１４ａＡと第２清拭体１４ｂＡで天面部１０４ｂを２回清拭することができ、天面部１０４ｂに対する清拭効果を更に高めることができる。
【００５０】
なお、清拭部材３Ａに設けた清拭体の数は、２つに限定されるものではなく、３つ以上設けてもよい。
【００５１】
その他の構成は、第１の実施の形態にかかる消毒キャップ１と同様であるため、それらの説明は省略する。このような清拭部材３Ａを有する消毒キャップ１Ａによっても、上述した第１の実施の形態例にかかる消毒キャップ１と同様の作用効果を得ることができる。
【００５２】
２．第２の実施の形態例
次に、図６及び図７を参照して本発明の第２の実施の形態例にかかる消毒キャップについて説明する。
図６及び図７は、第２の実施の形態例にかかる消毒キャップを示す斜視図である。
【００５３】
この第２の実施の形態例にかかる消毒キャップが、第１の実施の形態例にかかる消毒キャップと異なる点は、キャップ本体の構成である。そのため、ここでは、キャップ本体について説明し、第１の実施の形態例にかかるキャップ本体と共通する部分には、同一の符号を付して重複した説明を省略する。
【００５４】
図６及び図７に示すように、消毒キャップ２１は、キャップ本体２２と、清拭部材２３とを有している。キャップ本体２２は、第１部材２４と、第２部材２５と、第１部材２４及び第２部材２５を回動可能に支持する回動軸３１と、付勢ばね３２とを有している。
【００５５】
第１部材２４は、第１挟持部２４ａと、操作部２４ｂと、軸受部２４ｃとを有している。第１挟持部２４ａには、図に表れない第１保持部が設けられている。第１保持部は、第１挟持部２４ａの上下方向の下部に配置されている。第１保持部には、第１の実施の形態例にかかる第１保持部７と同様に、第１挟持凹部が設けられている。第１挟持凹部の構成は、第１の実施の形態例にかかる第１挟持凹部７ａと同一であるため、その説明は省略する。
【００５６】
第１挟持部２４ａにおける上下方向の上端部における第２部材２５と対向する一面には、略半円状に凹んだ凹部２６が形成されている。凹部２６は、第１保持部の上下方向の上部に形成されている。
【００５７】
操作部２４ｂは、第１挟持部２４ａにおける凹部２６及び第１保持部側の端部と反対側の端部から連続して設けられている。また、第１挟持部２４ａと操作部２４ｂの間には、軸受部２４ｃが形成されている。
【００５８】
第２部材２５は、第２挟持部２５ａと、操作部２５ｂと、軸受部２５ｃとを有している。第２挟持部２５ａには、第１の実施の形態例にかかる第２部材５と同様に、第２保持部が設けられている。第２保持部は、第２挟持部２５ａにおける上下方向の下部に配置されている。第２保持部には、第１の実施の形態例にかかる第２保持部８と同様に、第２挟持凹部が設けられている。第２挟持凹部の構成は、第１の実施の形態例にかかる第２挟持凹部８ａと同一であるため、その説明は省略する。
【００５９】
第２挟持部２５ａにおける第１部材２４と対向する一面の上端部には、略半円状の蓋板２９が設けられている。図７に示すように、第１挟持部２４ａと第２挟持部２５ａが接触した際、蓋板２９は、第１挟持部２４ａの凹部２６に嵌り込む。
【００６０】
また、蓋板２９には、清拭部材２３が設けられている。清拭部材２３は、第１の実施の形態例にかかる清拭部材３と同一の構成を有しているため、その説明は省略する。図７に示すように、第１挟持部２４ａと第２挟持部２５ａが接触した際、清拭部材２３は、凹部２６に当接する。
【００６１】
操作部２５ｂは、第２挟持部２５ａにおける蓋板２９及び第２保持部側の反対側の端部から連続して設けられている。また、第２挟持部２５ａと操作部２５ｂの間には、軸受部２５ｃが形成されている。
【００６２】
回動軸３１は、第１部材２４の軸受部２４ｃと第２部材２５の軸受部２５ｃを貫通し、第１部材２４及び第２部材２５を連結すると共に回動可能に支持している。
【００６３】
付勢ばね３２は、第１部材２４の操作部２４ｂ及び第２部材２５の操作部２５ｂを貫通している。また、付勢ばね３２の一端は、第１挟持部２４ａに当接し、他端は、第２挟持部２５ａに当接している。そして、付勢ばね３２は、第１挟持部２４ａと第２挟持部２５ａが互いに接近する方向に付勢している。
【００６４】
上述した構成を有する第２の実施の形態例にかかる消毒キャップ２１は、例えば、次のようにしてコネクタ１００に取り付けられる。
まず、使用者が、付勢ばね３２の付勢力に抗して、第１部材２４の操作部２４ｂ及び第２部材２５の操作部２５ｂを接近させると、第１部材２４及び第２部材２５は、回動軸３１を中心に回動する。そして、図６に示すように、第１挟持部２４ａと第２挟持部２５ａの間が開く。このとき、オスコネクタ接続部１０４の直径よりも、第１挟持部２４ａと第２挟持部２５ａの間隔を広げる。
【００６５】
次に、第１挟持部２４ａの第１保持部にオスコネクタ接続部１０４を当接させ、第１挟持凹部とオスコネクタ接続部１０４を係合させる。そして、使用者が第１部材２４の操作部２４ｂ及び第２部材２５の操作部２５ｂの操作を解除すると、第１部材２４及び第２部材２５は、付勢ばね３２の付勢力により回動軸３１を中心に回動する。そして、図７に示すように、第１挟持部２４ａと第２挟持部２５ａが接近し、蓋板２９が凹部２６内に嵌り込む。これにより、第１挟持凹部と第２挟持凹部でオスコネクタ接続部１０４を挟持することができ、消毒キャップ２１をコネクタ１００に取り付けることができる。
【００６６】
また、第２挟持部２５ａが移動する際に、清拭部材２３は、オスコネクタ接続部１０４の天面部１０４ｂ上を移動する。これにより、オスコネクタ接続部１０４の清拭作業も同時に行うことができる。
【００６７】
なお、本例では、付勢ばね３２が第１挟持部２４ａと第２挟持部２５ａを互いに接近する方向に付勢する例を説明したが、これに限定されるものではない。例えば、付勢ばねを第１部材２４の操作部２４ｂと第２部材２５の操作部２５ｂの間に配置し、第１部材２４の操作部２４ｂと第２部材２５の操作部２５ｂが互いに離反する方向に付勢させるように構成してもよい。
【００６８】
その他の構成は、第１の実施の形態にかかる消毒キャップ１と同様であるため、それらの説明は省略する。このような構成を有する消毒キャップ２１によっても、上述した第１の実施の形態例にかかる消毒キャップ１と同様の作用効果を得ることができる。
【００６９】
なお、本発明は上述しかつ図面に示した実施の形態に限定されるものではなく、特許請求の範囲に記載した発明の要旨を逸脱しない範囲内で種々の変形実施が可能である。例えば、キャップ本体における、第１部材と第２部材が接近及び離反する方向と直交し、かつオスコネクタ接続部の軸方向とも直交する方向の端部に、取り外し用の開口部を設けてもよい。
【００７０】
これにより、キャップ本体をオスコネクタ接続部から取り外す際に、含浸部の清拭体がオスコネクタ接続部に接触することを防ぐことができ、清拭体が拭き取った細菌や汚れが再びオスコネクタ接続部に付着することを防ぐことが可能となる。さらに、取り外し用の開口部の近傍に取り外し用含浸部を設けてもよい。これにより、キャップ本体をコネクタ接続部から取り外し際にも、オスコネクタ接続部を清拭することができる。
【００７１】
また、第２の実施の形態例にかかる消毒キャップ２１においても、第１の実施の形態例の変形例である消毒キャップ１Ａの清拭部材３Ａのように、清拭体を複数設けてもよい。
【００７２】
さらに、上述した実施の形態例では、清拭部材を蓋体に固定した例を説明したが、これに限定されるものではなく、清拭部材を蓋体に着脱可能に取り付けてもよい。これにより、一度使用した清拭部材を蓋体から取り外し、別の新たな清拭部材を蓋体に取り付けることで、再度消毒キャップを使用することができる。
【符号の説明】
【００７３】
１，１Ａ，２１…消毒キャップ、  ２，２２…キャップ本体、  ３，３Ａ，２３…清拭部材、  ４，２４…第１部材、  ５，２５…第２部材、  ６…連結片、  ７…第１保持部、  ７ａ…第１挟持凹部、  ８…第２保持部、  ８ａ…第２挟持凹部、  ９…蓋板、  １０…連結片、  １０ａ…連結溝、  １２，１２Ａ…含浸部、  １３…付勢部材、  １４…清拭体、  １４ａＡ…第１清拭体、  １４ｂＡ…第２清拭体、  １５，１５Ａ…保護体、  ２４ａ…第１挟持部、  ２４ｂ…操作部、  ２４ｃ…軸受部、  ２５ａ…第２挟持部、  ２５ｂ…操作部、  ２５ｃ…軸受部、  ３１…回動軸、  ３２…付勢ばね、  １００…コネクタ、  １０１…コネクタ本体、  １０２…弁体、  １０４…オスコネクタ接続部、  １０４ｂ…天面部
【図１】
2016168251.tif 000003
【図２】
2016168251.tif 000004
【図３】
2016168251.tif 000005
【図４】
2016168251.tif 000006
【図５】
2016168251.tif 000007
【図６】
2016168251.tif 000008
【図７】
2016168251.tif 000009